(57)【特許請求の範囲】
【請求項１】
上位装置に接続され、無線通信機能を有する情報記憶媒体と無線通信を行う制御装置において、
上記上位装置より複数の上記情報記憶媒体との通信要求を受信した際、上記情報記憶媒体へ通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う制御手段と、
を具備したことを特徴とする制御装置。
【請求項２】
上位装置に接続され、無線通信機能を有する情報記憶媒体と無線通信を行う制御装置において、
上記上位装置より複数の上記情報記憶媒体との通信要求を受信した際、上記情報記憶媒体へ通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報と固有の識別情報とを上記上位装置へ返答する制御を行う制御手段と、
を具備したことを特徴とする制御装置。
【請求項３】
上位装置に接続され、無線通信機能を有する情報記憶媒体と無線通信を行う制御装置において、
上記上位装置より複数の上記情報記憶媒体との通信要求を受信した際、上記情報記憶媒体へ通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、
上記上位装置より特定の簡易識別情報の解放命令を受信した際、特定の簡易識別情報とこの簡易識別情報に対応する固有の識別情報との対応関係を消滅させる制御を行う第２の制御手段と、
を具備したことを特徴とする制御装置。
【請求項４】
上位装置に接続され、無線通信機能を有する情報記憶媒体と無線通信を行う制御装置において、
上記上位装置より複数の上記情報記憶媒体との通信要求を受信した際、上記情報記憶媒体への通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、
上記上位装置より上記複数の情報記憶媒体との通信要求を受信した際、上記第１の制御手段で固有の識別情報に割り当てた簡易識別情報を全て解消する制御を行う第２の制御手段と、
を具備したことを特徴とする制御装置。
【請求項５】
上位装置に接続され、無線通信機能を有する情報記憶媒体と無線通信を行う制御装置において、
上記上位装置より複数の上記情報記憶媒体との通信要求を受信した際、上記情報記憶媒体への通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、
上記上位装置より上記複数の情報記憶媒体との通信停止要求を受信した際、上記第１の制御手段で固有の識別情報に割り当てた簡易識別情報を全て解消する制御を行う第２の制御手段と、
を具備したことを特徴とする制御装置。
【請求項６】
上位装置に接続され、無線通信機能とアクセス鍵を用いてアクセス可能な情報記憶媒体と無線通信を行う制御装置において、
上記上位装置より複数の上記情報記憶媒体との通信要求を受信した際、上記情報記憶媒体へ通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報と固有の識別情報とを上記上位装置へ返答する制御を行う第１の制御手段と、
この第１の制御手段により上記上位装置へ返答した固有の識別情報に対応したアクセス鍵を上記上位装置から受信した際、このアクセス鍵を記憶する記憶手段と、
この記憶手段にアクセス鍵を記憶すると、記憶したアクセス鍵を用いて以降の上記上位装置からの通信命令に応じて当該情報記憶媒体との通信制御を行う第２の制御手段と、
を具備したことを特徴とする制御装置。
【請求項７】
上位装置に接続され、無線通信機能とアクセス鍵を用いてアクセス可能な情報記憶媒体と無線通信を行う制御装置において、
上記上位装置より複数の上記情報記憶媒体との通信要求を受信した際、上記情報記憶媒体へ通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報と固有の識別情報とを上記上位装置へ返答する制御を行う第１の制御手段と、
上記上位装置から上記第１の制御手段で返答した固有の識別情報に対応したアクセス鍵を受信した際、このアクセス鍵を保持し、このアクセス鍵を用いてこのアクセス鍵を必要とする情報記憶媒体との以降の通信を制御する第２の制御手段と、
を具備したことを特徴とする制御装置。
【請求項８】
上位装置に接続され、無線通信機能とアクセス鍵を有してアクセス鍵を用いてのみアクセス可能な情報記憶媒体と無線通信を行う制御装置において、
上記上位装置より複数の上記情報記憶媒体との通信要求を受信した際、上記情報記憶媒体への通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、
この第１の制御手段で簡易識別情報を割り当てた固有の識別情報に基づいてアクセス鍵を生成して保持する記憶手段と、
上記上位装置より簡易識別情報を用いてデータのリード、またはライトの命令を受信した際、上記記憶手段に保持しているアクセス鍵を用いて当該簡易識別情報に対応する固有の識別情報を有する情報記憶媒体との通信を制御する第２の制御手段と、
を具備したことを特徴とする制御装置。
【請求項９】
上位装置に接続され、無線通信機能と複数のアクセス鍵を有してアクセス鍵を用いてのみアクセス可能な情報記憶媒体と無線通信を行う制御装置において、
上記上位装置より複数の上記情報記憶媒体との通信要求を受信した際、上記情報記憶媒体への通信要求信号を送信する送信手段と、
この送信手段からの通信要求信号に応じた上記情報記憶媒体からの固有の識別情報を含む応答信号を受信する受信手段と、
この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、
この第１の制御手段で割り当てた簡易識別情報に対応した固有の識別情報と、固有の識別情報に付加された複数のアクセス鍵情報とを記憶する記憶手段と、
上記上位装置より簡易識別情報を用いてデータのリード、またはライトの命令を受信した際、上記記憶手段に記憶されているアクセス鍵情報を用いてこの簡易識別情報に対応する固有の識別情報を有する当該情報記憶媒体との通信を制御する第２の制御手段と、
を具備したことを特徴とする制御装置。
【請求項１０】
上位装置に接続され、無線通信機能を有する情報記憶媒体と無線通信を行う制御装置の通信制御方法であって、上記上位装置より複数の上記情報記憶媒体との通信要求を受信した際、上記情報記憶媒体への通信要求信号を送信し、この通信要求信号に応じた上記情報記憶媒体からの固有の識別情報を含む応答信号を受信し、この受信できた１つまたは複数の情報記憶媒体の固有の識別情報に対して、この固有の識別情報より情報量の少ない簡易識別情報を割り当て、この割り当てた簡易識別情報を上記上位装置へ返答し、上記上位装置からの上記簡易識別情報を用いた通信命令に応じて当該情報記憶媒体と通信制御を行うことを特徴とする制御装置の通信制御方法。
【発明の詳細な説明】
【０００１】
【発明の属する技術分野】
この発明は、上位装置に接続され、タグ（情報記憶媒体）と無線通信を行うリーダライタ装置としての制御装置と制御装置の通信制御方法に関する。
【０００２】
【従来の技術】
従来、上位装置に接続された制御装置としてのリーダライタ装置と、固有番号が記憶され、読み取り可能また書き換え可能な情報記憶媒体を有した複数の非接触ＩＤタグとの間で無線通信を行うマルチリード無線タグシステムが実用化されている。
【０００３】
このようなタグのリードを行う際には、リーダライタ装置（ＲＷＵ）からタグにアンチコリジョンコマンドを送信する。タグは、このアンチコリジョンコマンドを受信した後、時間で区切られたスロットのどこかで送信するように、内部で乱数を発生させ、その発生させた結果のスロットにタグの固有番号などのデータを返す。リーダライタ装置は、時間で区切られたデータを受信し、この受信した複数のタグの固有番号をホスト装置に送信する。
【０００４】
ホスト装置は、この受信した固有番号により、複数枚あるタグの中の１つを選択し、選択したタグとデータのアクセスを行うようにリーダライタ装置に指示を送信している。ホスト装置は、この選択したタグと通信を行う際、このタグの固有番号（ＩＤ）をリーダライタ装置に送信する。リーダライタ装置は、送信された固有ＩＤをそのまま使用したデータをタグに送信し、タグと通信を行っていた。
【０００５】
さらに、リーダライタ装置は、固有のアクセス鍵を持つタグに対しては上記固有ＩＤと固有鍵がホスト装置から送信され、送信された固有ＩＤ、固有鍵をそのまま使用し、タグと通信を行っていた。
【０００６】
このように、タグのマルチリードを行う際は、通信データとしてタグ固有の番号とタグ固有または共通のアクセス鍵を使用して通信を行っていた。
【０００７】
しかしながら、固有番号（ＩＤ）とアクセス鍵は、データが長いため通信に時間がかかる。すなわち、固有番号（ＩＤ）とアクセス鍵は、タグにアクセスするコマンド毎にホスト装置とリーダライタ装置との間において、ホスト装置が送信するデータとして使用し、コマンド毎に同じデータをリーダライタ装置が受信し、同じデータを何度も送受信するためデータ量が多くなり通信に時間がかかっていた。
【０００８】
【発明が解決しようとする課題】
上記したように、タグのマルチリードを行う際、タグにアクセスするコマンド毎にホスト装置（上位装置）とリーダライタ装置（制御装置）との間において、通信データとして固有番号（ＩＤ）とアクセス鍵を使用していたが、このデータは長く、このような長いデータを何度も送受信するためデータ量が多くなって通信に時間がかかるという問題があった。
【０００９】
そこで、この発明は、上位装置との通信量を減少させ、通信時間の短縮化を図ることのできる制御装置と制御装置の通信制御方法を提供することを目的とする。
【００１０】
【課題を解決するための手段】
この発明の制御装置は、上位装置に接続され、無線通信機能を有する情報記憶媒体と無線通信を行う制御装置において、上記上位装置より複数の上記情報記憶媒体との通信要求を受信した際、上記情報記憶媒体へ通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う制御手段とから構成されている。
【００１１】
この発明の制御装置は、上位装置に接続され、無線通信機能を有する情報記憶媒体と無線通信を行う制御装置において、上記上位装置より複数の上記情報記憶媒体との通信要求を受信した際、上記情報記憶媒体へ通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報と固有の識別情報とを上記上位装置へ返答する制御を行う制御手段とから構成されている。
【００１２】
この発明の制御装置は、上位装置に接続され、無線通信機能を有する情報記憶媒体と無線通信を行う制御装置において、上記上位装置より複数の上記情報記憶媒体との通信要求を受信した際、上記情報記憶媒体へ通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、上記上位装置より特定の簡易識別情報の解放命令を受信した際、特定の簡易識別情報とこの簡易識別情報に対応する固有の識別情報との対応関係を消滅させる制御を行う第２の制御手段とから構成されている。
【００１３】
この発明の制御装置は、上位装置に接続され、無線通信機能を有する情報記憶媒体と無線通信を行う制御装置において、上記上位装置より複数の上記情報記憶媒体との通信要求を受信した際、上記情報記憶媒体への通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、上記上位装置より上記複数の情報記憶媒体との通信要求を受信した際、上記第１の制御手段で固有の識別情報に割り当てた簡易識別情報を全て解消する制御を行う第２の制御手段とから構成されている。
【００１４】
この発明の制御装置は、上位装置に接続され、無線通信機能を有する情報記憶媒体と無線通信を行う制御装置において、上記上位装置より複数の上記情報記憶媒体との通信要求を受信した際、上記情報記憶媒体への通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、上記上位装置より上記複数の情報記憶媒体との通信停止要求を受信した際、上記第１の制御手段で固有の識別情報に割り当てた簡易識別情報を全て解消する制御を行う第２の制御手段とから構成されている。
【００１５】
この発明の制御装置は、上位装置に接続され、無線通信機能とアクセス鍵を用いてアクセス可能な情報記憶媒体と無線通信を行う制御装置において、上記上位装置より複数の上記情報記憶媒体との通信要求を受信した際、上記情報記憶媒体へ通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報と固有の識別情報とを上記上位装置へ返答する制御を行う第１の制御手段と、この第１の制御手段により上記上位装置へ返答した固有の識別情報に対応したアクセス鍵を上記上位装置から受信した際、このアクセス鍵を記憶する記憶手段と、この記憶手段にアクセス鍵を記憶すると、記憶したアクセス鍵を用いて以降の上記上位装置からの通信命令に応じて当該情報記憶媒体との通信制御を行う第２の制御手段とから構成されている。
【００１６】
この発明の制御装置は、上位装置に接続され、無線通信機能とアクセス鍵を用いてアクセス可能な情報記憶媒体と無線通信を行う制御装置において、上記上位装置より複数の上記情報記憶媒体との通信要求を受信した際、上記情報記憶媒体へ通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報と固有の識別情報とを上記上位装置へ返答する制御を行う第１の制御手段と、上記上位装置から上記第１の制御手段で返答した固有の識別情報に対応したアクセス鍵を受信した際、このアクセス鍵を保持し、このアクセス鍵を用いてこのアクセス鍵を必要とする情報記憶媒体との以降の通信を制御する第２の制御手段とから構成されている。
【００１７】
この発明の制御装置は、上位装置に接続され、無線通信機能とアクセス鍵を有してアクセス鍵を用いてのみアクセス可能な情報記憶媒体と無線通信を行う制御装置において、上記上位装置より複数の上記情報記憶媒体との通信要求を受信した際、上記情報記憶媒体への通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、この第１の制御手段で簡易識別情報を割り当てた固有の識別情報に基づいてアクセス鍵を生成して保持する記憶手段と、上記上位装置より簡易識別情報を用いてデータのリード、またはライトの命令を受信した際、上記記憶手段に保持しているアクセス鍵を用いて当該簡易識別情報に対応する固有の識別情報を有する情報記憶媒体との通信を制御する第２の制御手段とから構成されている。
【００１８】
この発明の制御装置は、上位装置に接続され、無線通信機能と複数のアクセス鍵を有してアクセス鍵を用いてのみアクセス可能な情報記憶媒体と無線通信を行う制御装置において、上記上位装置より複数の上記情報記憶媒体との通信要求を受信した際、上記情報記憶媒体への通信要求信号を送信する送信手段と、この送信手段からの通信要求信号に応じた上記情報記憶媒体からの固有の識別情報を含む応答信号を受信する受信手段と、この受信手段で受信できた１つまたは複数の情報記憶媒体の固有の識別情報に対して、この固有の識別情報より情報量の少ない簡易識別情報を割り当て、この割り当てた簡易識別情報を上記上位装置へ返答する制御を行う第１の制御手段と、この第１の制御手段で割り当てた簡易識別情報に対応した固有の識別情報と、固有の識別情報に付加された複数のアクセス鍵情報とを記憶する記憶手段と、上記上位装置より簡易識別情報を用いてデータのリード、またはライトの命令を受信した際、上記記憶手段に記憶されているアクセス鍵情報を用いてこの簡易識別情報に対応する固有の識別情報を有する当該情報記憶媒体との通信を制御する第２の制御手段とから構成されている。
【００１９】
この発明の制御装置の通信制御方法は、上位装置に接続され、無線通信機能を有する情報記憶媒体と無線通信を行う制御装置の通信制御方法であって、上記上位装置より複数の上記情報記憶媒体との通信要求を受信した際、上記情報記憶媒体への通信要求信号を送信し、この通信要求信号に応じた上記情報記憶媒体からの固有の識別情報を含む応答信号を受信し、この受信できた１つまたは複数の情報記憶媒体の固有の識別情報に対して、この固有の識別情報より情報量の少ない簡易識別情報を割り当て、この割り当てた簡易識別情報を上記上位装置へ返答し、上記上位装置からの上記簡易識別情報を用いた通信命令に応じて当該情報記憶媒体と通信制御を行うことを特徴とする。
【００２１】
【発明の実施の形態】
以下、この発明の一実施の形態について図面を参照して説明する。
【００２２】
図１は、この発明に係るマルチリード無線タグシステムの概略構成を示すものである。すなわち、マルチリード無線タグシステムは、パーソナルコンピュータ等の上位装置であるホスト装置１に接続されるリーダライタ装置３と、固有ＩＤ（番号）が記憶され、読み取り可能また書き換え可能な情報記憶媒体等の複数の非接触ＩＤタグ５との間で無線通信を行うものである。
【００２３】
図２は、タグ（ＣＵ）５の概略構成を示すものである。タグ５は、全体的な制御を司るＣＰＵ５１、ＣＰＵ５１の制御プログラム、各種情報を記憶するメモリ５２、送受信切換部５３、リーダライタ装置３からの各種情報を受信する受信部５４、受信部５４からの受信信号を復調する復調部５５、送信情報を変調する変調部５６、変調部５６によって変調された信号を電波に変換してリーダライタ装置３に向けて送信する送信部５７とから構成されている。なお、タグ５は、リーダライタ装置３からのポーリングコマンドを受信することによって電源が供給されるようになっている。
【００２４】
また、タグ５は、コマンドレスポンス仕様のような機能を有し、詳しくは後述するがリーダライタ装置３からのアンチコリジョンコマンドに対して分割された時間（例えば、タイムスロット０〜７）内のどれか１つのタイミングで、応答信号としてメモリ５２に予め記憶されている固有ＩＤを送信する。
【００２５】
図３は、リーダライタ装置（ＲＷＵ）３の概略構成を示すものである。リーダライタ装置３は、ＣＰＵ３１とメモリ３２とを含む制御回路３３を有するディジタル部３４、アナログ部３５、コンデンサ４１、及びコイル４２とから構成されている。アナログ部３５は、ディジタル部３４からの８ビットのディジタルデータをアナログデータに変換するＤ／Ａ変換部３６、アンプ（ＡＭＰ）３７、フィルタ３８、増幅部３９、及びディジタル部３４へ二値化データを出力する二値化部４０とから構成されている。
【００２６】
なお、ＣＰＵ３１は、リーダライタ装置３の全体の制御を司り、メモリ３２は、後述するが、アクセス鍵等の情報を記憶する。
【００２７】
図４に示す例のように、リーダライタ装置（ＲＷＵ）３は、タイムスロット０〜７のタイミングでタグ５からのデータを受信し、タグデータを認識する。
【００２８】
図５は、ホスト装置（ＰＣ）１とリーダライタ装置（ＲＷＵ）３とのコマンドレスポンス仕様を示すものである。
【００２９】
図５の（ａ）はブロック構成を示すもので、ホスト装置１からリーダライタ装置３へは、コマンドＲ、パラメータＲからなるコマンドフォーマットで送信される。また、リーダライタ装置３からホスト装置１へは、レスポンスＲ、データＲからなるコマンドフォーマットで送信される。
【００３０】
図５の（ｂ）〜（ｏ）は、ホスト装置１とリーダライタ装置３との間のコマンドレスポンスを示すものである。
【００３１】
図５の（ｂ）、（ｃ）は、ホスト装置１から送信される送信キャリア制御を示し、ホスト装置１からコマンドＲとして「送信キャリア開始」、あるいは「送信キャリア停止」がリーダライタ装置３に送信されパラメータは送信されない。また、送信キャリア制御に関するコマンドを受信するとリーダライタ装置３からレスポンスＲとして（データＲはなし）「正常レスポンス」、「エラーレスポンス」が返される。
【００３２】
図５の（ｄ）、（ｅ）は、ホスト装置１から送信されるマルチリード要求Ａを示し、ホスト装置１からコマンドＲとして（パラメータはなし）「マルチリード要求Ａ」がリーダライタ装置３に送信される。リーダライタ装置３からは正常な場合にはレスポンスＲとして「正常レスポンス」及びデータＲとして後述する簡易ＩＤ番号等が送信され、エラー時にはレスポンスＲとして（データＲなし）「エラーレスポンス」が返される。
【００３３】
図５の（ｆ）、（ｇ）は、ホスト装置１から送信されるマルチリード要求Ｂを示し、ホスト装置１からコマンドＲとして（パラメータはなし）「マルチリード要求Ｂ」がリーダライタ装置３に送信される。リーダライタ装置３からは正常時にはレスポンスＲとして「正常スポンス」及びデータＲとして後述する「簡易ＩＤ番号、簡易ＩＤ番号に対応する固有ＩＤ番号」等が送信され、エラー時にはレスポンスＲとして（データＲなし）「エラーレスポンス」が返される。
【００３４】
図５の（ｈ）、（ｉ）は、ホスト装置１から送信されるリード（簡易）を示し、ホスト装置１からコマンドＲとして「タグ（ＣＵ）アクセス」とパラメータとして「簡易ＩＤ番号、リード、リードしたいメモリ内のアドレス」がリーダライタ装置３に送信される。リーダライタ装置３からは正常時にはレスポンスＲとして「正常レスポンス」とデータＲとして「リードデータ」が送信され、エラー時にはレスポンスＲとして（データＲなし）「エラーレスポンス」が返される。
【００３５】
図５の（ｊ）、（ｋ）は、ホスト装置１から送信されるライト（簡易）を示し、ホスト装置１からコマンドＲとして「タグ（ＣＵ）アクセス」とパラメータ「簡易ＩＤ番号、ライト、ライトしたいメモリ内のアドレス、ライトデータ」がリーダライタ装置３に送信される。リーダライタ装置３からは正常時にはレスポンスＲとして「正常レスポンス」が送信され、エラー時にはレスポンスＲとして「エラーレスポンス」が返される。
【００３６】
図５の（ｌ）、（ｍ）は、ホスト装置１から送信される簡易ＩＤ解放を示し、ホスト装置１からコマンドＲとして「簡易ＩＤ解放」とパラメータ「簡易ＩＤ番号等」がリーダライタ装置３に送信される。リーダライタ装置３からは正常時にはレスポンスＲとして「正常レスポンス」が送信され、エラー時にはレスポンスＲとして「エラーレスポンス」が返される。
【００３７】
図５の（ｎ）、（ｏ）は、ホスト装置１から送信される簡易ＩＤアクセス鍵設定を示し、ホスト装置１からコマンドＲとして「簡易ＩＤアクセス鍵設定」とパラメータとして「簡易ＩＤ番号、アクセス鍵等」がリーダライタ装置３に送信される。リーダライタ装置３からは正常時にはレスポンスＲとして「正常レスポンス」が送信され、エラー時にはレスポンスＲとして「エラーレスポンス」が返される。
【００３８】
図６は、リーダライタ装置（ＲＷＵ）３とタグ（ＣＵ）５とのコマンドレスポンス仕様を示すものである。
【００３９】
図６の（ａ）はブロック構成を示すもので、リーダライタ装置３からタグ５へは、コマンドＣ、アクセス鍵、アドレス、データが送信される。また、タグ５からリーダライタ装置３へは、レスポンスＣ、データが送信される。
【００４０】
図６の（ｂ）〜（ｈ）は、リーダライタ装置３とタグ５との間のコマンドレスポンスを示すものである。
【００４１】
図６の（ｂ）、（ｃ）は、リーダライタ装置３から送信されるアンチコリジョンコマンドを示し、リーダライタ装置３からコマンドＣとしてのみ「アンチコリジョン」がタグ５に送信され、タグ５からレスポンスＣとして「正常レスポンス」と「固有ＩＤ」が返される。なお、レスポンスコマンドは乱数で発生されるレスポンスタイミングとタグ５から送信される。
【００４２】
図６の（ｄ）、（ｅ）は、リーダライタ装置３から送信されるリードを示し、リーダライタ装置３からコマンドＣとして「リード」、アクセス鍵として「固有鍵（または固定鍵）」、アドレスとして（データなし）「リードアドレス」がタグ５に送信される。このリードコマンドを受信したタグ５からは、正常時にはレスポンスＣとして「正常レスポンス」とデータとして「リードデータ」が送信され、エラー時にはレスポンスＣとして（データなし）「エラーレスポンス」が返される。
【００４３】
図６の（ｆ）、（ｇ）は、リーダライタ装置３から送信されるライトを示し、リーダライタ装置３からコマンドＣとして「ライト」、アクセス鍵として「固有鍵（または固定鍵）」、アドレスとして「ライトアドレス」、データとして「ライトデータ」がタグ５に送信される。タグ５からは正常時にはレスポンスＣとして（データなし）「正常レスポンス」が送信され、エラー時にはレスポンスＣとして（データなし）「エラーレスポンス」が返される。
【００４４】
図６の（ｈ）、（ｉ）は、リーダライタ装置３から送信されるタグ起動コマンドを示し、リーダライタ装置３からはコマンドＣとして「起動コマンド」、データとして「固有ＩＤ」がタグ５に送信される。タグ５からは正常時にはレスポンスＣとして（データなし）「正常レスポンス」、あるいは「エラーレスポンス」が返される。
【００４５】
図６の（ｊ）、（ｋ）は、リーダライタ装置３から送信されるタグ停止コマンドを示し、リーダライタ装置３からはコマンドＣとして「停止コマンド」、データとして「固有ＩＤ」がタグ５に送信される。タグ５からは正常時にはレスポンスＣとして（データなし）「正常レスポンス」が送信され、エラー時にはレスポンスＣとして（データなし）「エラーレスポンス」が返される。
【００４６】
次に、このような構成において、マルチリード無線タグシステムのマルチリード動作（簡易ＩＤとリードライト）を図７のタイムチャートを参照して説明する。
【００４７】
まず、ホスト装置（ＰＣ）１は、タグ（ＣＵ）５を動作させるために送信キャリア開始コマンド（図５（ｂ））をリーダライタ装置（ＲＷＵ）３に送信する。リーダライタ装置３は、送信キャリア開始コマンドを正常に受信した際に正常レスポンス（図５（ｄ））をホスト装置１へ返す（状態Ａ）。
【００４８】
続いてホスト装置１は、マルチリード要求コマンドＡ（図５（ｄ））をリーダライタ装置３に送信し、リーダライタ装置３はこれを受信してアンチコリジョンリードコマンド（タイムスロット８個）（図６（ｂ））を送信する。
【００４９】
ここで、通信可能エリアにあるタグ５が、４個存在し、夫々の固有ＩＤが［ＡＡＡＡ］、［ＢＢＢＢ］、［ＣＣＣＣ］、［ＤＤＤＤ］であったとする。
【００５０】
リーダライタ装置３は、タイムスロット毎にタグ５からのデータ（図６（ｃ））を受信し、この受信したデータはタグ５の固有ＩＤであり、この場合、データは４つであった。図７においては、タイムスロット０で固有ＩＤがＡＡＡＡのタグ５、タイムスロット１で固有ＩＤがＢＢＢＢのタグ５、タイムスロット２で固有ＩＤがＣＣＣＣのタグ５、タイムスロット７で固有ＩＤがＤＤＤＤのタグ５がこの順番で受信された。
【００５１】
リーダライタ装置３は、一番最初に受信した固有ＩＤがＡＡＡＡのタグ５に簡易ＩＤ１を割り当て、２番目に受信した固有ＩＤがＢＢＢＢのタグ５に簡易ＩＤ２を割り当て、３番目に受信した固有ＩＤがＣＣＣＣのタグ５に簡易ＩＤ３を割り当て、４番目に受信した固有ＩＤがＤＤＤＤのタグ５に簡易ＩＤ４を割り当て、これらの簡易ＩＤ１〜４のみ（図５（ｅ））をホスト装置１へ正常レスポンスとして送信する。ホスト装置１は、簡易ＩＤのみを取得する（状態Ｂ終了）。
【００５２】
続いて、ホスト装置１は、簡易ＩＤ１のメモリデータのリード（図５（ｈ））またはライトコマンド（図５（ｊ））をリーダライタ装置３へ送信する。
【００５３】
リーダライタ装置３は、簡易ＩＤ１のリードまたはライトコマンドを受信した際、簡易ＩＤから固有ＩＤを求める。この場合簡易ＩＤ１は固有ＩＤがＡＡＡＡであるから、起動コマンド（図６（ｈ））と固有ＩＤ「ＡＡＡＡ」を送信し、固有ＩＤがＡＡＡＡのタグ５から正常レスポンス（図６（ｉ））を受け取った後、リードまたはライトの無線通信処理（図５（ｄ）〜（ｇ））を行い、固有ＩＤがＡＡＡＡのタグ５から受信したデータ（図５（ｉ）または（ｋ））はホスト装置１に送信する。
【００５４】
固有ＩＤがＡＡＡＡのタグ５との無線通信処理が終了した際、リーダライタ装置３は、停止コマンド（図６（ｊ））と固有ＩＤ「ＡＡＡＡ」を送信し、固有ＩＤ「ＡＡＡＡ」のタグ５からの正常レスポンス（図６（ｋ））を受信して終了する。
【００５５】
ホスト装置１は、続いて簡易ＩＤ２のメモリデータのリードまたはライトコマンド（図５（ｈ）または（ｊ））をリーダライタ装置３へ送信する。
【００５６】
リーダライタ装置３は、簡易ＩＤ２のリードまたはライトコマンドを受信した際、簡易ＩＤ２から固有ＩＤ「ＢＢＢＢ」を求め、起動コマンドと固有ＩＤ「ＢＢＢＢ」を送信し、固有ＩＤ「ＢＢＢＢ」のタグ５から正常レスポンスを受け取った後、リードまたはライトの無線通信処理を行い、固有ＩＤ「ＢＢＢＢ」のタグ５から受信したデータをホスト装置１に送信する。
【００５７】
固有ＩＤがＢＢＢＢのタグ５との無線通信処理が終了した際、リーダライタ装置３は、停止コマンドと固有ＩＤ「ＢＢＢＢ」を送信し、固有ＩＤ「ＢＢＢＢ」のタグ５から正常レスポンスを受信して終了する（状態Ｃ終了）。
【００５８】
全ての無線通信処理が終了した際、ホスト装置１は、タグ５との無線通信を停止させるために送信キャリア停止コマンド（図５（ｂ））をリーダライタ装置３に送信する。リーダライタ装置３は、送信キャリア停止コマンドを正常に受信した際に正常レスポンス（図５（ｃ））をホスト装置１へ返す（状態Ａ）。
【００５９】
上述したように、ホスト装置１とリーダライタ装置３との間で簡易ＩＤのみを送受するアクセス方式を使用することにより、この間の通信量が減少してアクセス速度の向上が可能となる。
【００６０】
なお、タグへ通信するためのアクセス鍵は、固定またはリーダライタ装置３内部で生成が可能であり、ホスト装置１とリーダライタ装置３との間での通信データには含まれず、リーダライタ装置３とタグ５との間で無線通信する際に生成している。
【００６１】
次に、マルチリード無線タグシステムのマルチリード動作（簡易ＩＤと削除）を図８のタイムチャートを参照して説明する。
【００６２】
まず、ホスト装置（ＰＣ）１は、タグ（ＣＵ）５を動作させるために送信キャリア開始コマンド（図５（ｂ））をリーダライタ装置（ＲＷＵ）３に送信する。リーダライタ装置３は、送信キャリア開始コマンドを正常に受信した際に正常レスポンス（図５（ｃ））をホスト装置１へ返す（状態Ａ）。
【００６３】
続いてホスト装置１は、マルチリード要求コマンドＡをリーダライタ装置３に送信し、リーダライタ装置３はこれを受信してアンチコリジョンリードコマンド（タイムスロット８個）（図６（ｂ））を送信する。
【００６４】
ここで、通信可能エリアにあるタグ５が、４個存在し、夫々固有ＩＤが［ＡＡＡＡ］、［ＢＢＢＢ］、［ＣＣＣＣ］、［ＤＤＤＤ］であったとする。
【００６５】
リーダライタ装置３は、タイムスロット毎にタグ５からのデータ（図６（ｃ））を受信し、この受信したデータはタグ５の固有ＩＤであり、この場合、データは４つであった。図８においては、タイムスロット０で固有ＩＤがＡＡＡＡのタグ５、タイムスロット１で固有ＩＤがＢＢＢＢのタグ５、タイムスロット７で固有ＩＤがＤＤＤＤのタグ５がこの順番で受信された。
【００６６】
リーダライタ装置３は、一番目に受信した固有ＩＤがＡＡＡＡのタグ５に簡易ＩＤ１を割り当て、２番目に受信した固有ＩＤがＢＢＢＢのタグ５に簡易ＩＤ２を割り当て、３番目に受信した固有ＩＤがＤＤＤＤのタグ５に簡易ＩＤ４を割り当て、これら読み取れたタグ５に割り当てた簡易ＩＤ１，２，４（図５（ｅ））をホスト装置１へ正常レスポンスとして送信する。ホスト装置１は、簡易ＩＤのみを取得する（状態Ｂ終了）。
【００６７】
続いて、ホスト装置１は、簡易ＩＤ１のメモリデータのリード（図５（ｈ））またはライトコマンド（図５（ｊ））をリーダライタ装置３へ送信する。
【００６８】
リーダライタ装置３は、簡易ＩＤ１のリードまたはライトコマンドを受信した際、簡易ＩＤから固有ＩＤを求める。この場合、簡易ＩＤ１は固有ＩＤがＡＡＡＡであるから、起動コマンド（図６（ｈ））と固有ＩＤ「ＡＡＡＡ」を送信し、固有ＩＤがＡＡＡＡのタグ５から正常レスポンス（図６（ｉ））を受け取った後、リードまたはライトの無線通信処理（図６（ｄ）〜（ｇ））を行い、固有ＩＤがＡＡＡＡのタグ５から受信したデータ（図５（ｉ）または（ｋ））はホスト装置１に送信する。
【００６９】
固有ＩＤがＡＡＡＡのタグ５との無線通信処理が終了した際、リーダライタ装置３は、停止コマンド（図６（ｊ））と固有ＩＤ「ＡＡＡＡ」を送信し、固有ＩＤ「ＡＡＡＡ」のタグ５から正常レスポンス（図６（ｋ））を受信して終了する（状態Ｃ終了）。
【００７０】
ここで、ホスト装置１は、取得した簡易ＩＤ１に対する処理が終了した際、簡易ＩＤ解放コマンドとその簡易ＩＤ１（図５（ｌ））をリーダライタ装置３に送信する。リーダライタ装置３は、簡易ＩＤ解放コマンドを受信した際、その簡易ＩＤ１の割り当てを解放し、ホスト装置１に正常レスポンス（図５（ｍ））を返す（状態Ｅ終了）。
【００７１】
ホスト装置１は、この正常レスポンスを受信した際、マルチリード要求コマンドＡ（図５（ｄ））をリーダライタ装置３に送信し、リーダライタ装置３はこれを受信してアンチコリジョンリードコマンド（タイムスロット４個）（図６（ｂ））を送信する。
【００７２】
リーダライタ装置３は、タイムスロット毎にタグ５からのデータ（図６（ｃ））を受信し、この受信したデータはタグ５の固有ＩＤであり、図８においてタイムスロット１で固有ＩＤがＣＣＣＣのタグ５が受信された。
【００７３】
リーダライタ装置３は、タグ５の固有ＩＤがＣＣＣＣに先ほど解放した簡易ＩＤ１を割り当て、この割り当てた簡易ＩＤ１をホスト装置１へ正常レスポンス（図５（ｅ））として送信する。ホスト装置１は、簡易ＩＤ１のみを取得する（状態Ｂ終了）。
【００７４】
続いて、ホスト装置１は、簡易ＩＤ１のメモリデータのリードまたはライトコマンド（図５（ｈ）または（ｊ））をリーダライタ装置３へ送信する。
【００７５】
リーダライタ装置３は、簡易ＩＤ１のリードまたはライトコマンドを受信した際、簡易ＩＤ１から固有ＩＤ「ＣＣＣＣ」を求め、起動コマンドと固有ＩＤ「ＣＣＣＣ」（図６（ｈ））を送信し（図示しない）、固有ＩＤがＣＣＣＣのタグ５から正常レスポンス（図６（ｉ））を受け取った後（図示しない）、リードまたはライトの無線通信処理（図６（ｄ）〜（ｇ））を行い、固有ＩＤがＣＣＣＣのタグ５から受信したデータ（図５（ｉ）または（ｋ））はホスト装置１に送信する。
【００７６】
固有ＩＤがＡＡＡＡのタグ５との無線通信処理が終了した際、リーダライタ装置３は、停止コマンドと固有ＩＤ「ＣＣＣＣ」（図６（ｊ））を送信し（図示しない）、固有ＩＤ「ＣＣＣＣ」のタグ５から正常レスポンス（図６（ｋ））を受信し（図示しない）、終了する（状態Ｃ終了）。
【００７７】
全ての無線通信処理が終了した際、ホスト装置１は、タグ５との無線通信を停止させるために送信キャリア停止コマンド（図５（ｂ））をリーダライタ装置３に送信する。リーダライタ装置３は、送信キャリア停止コマンドを正常に受信した際に正常レスポンス（図５（ｃ））をホスト装置１へ返す（状態Ａ）。
【００７８】
次に、マルチリード無線タグシステムのマルチリード動作（簡易ＩＤとマルチリード全削除）を図９のタイムチャートを参照して説明する。
【００７９】
まず、ホスト装置（ＰＣ）１は、タグ（ＣＵ）５を動作させるために送信キャリア開始コマンド（図５（ｂ））をリーダライタ装置（ＲＷＵ）３に送信する。リーダライタ装置３は、送信キャリア開始コマンドを正常に受信した際に正常レスポンス（図５（ｃ））をホスト装置１へ返す（状態Ａ）。
【００８０】
続いてホスト装置１は、マルチリード要求コマンドＡ（図５（ｄ））をリーダライタ装置３に送信し、リーダライタ装置３はこれを受信してアンチコリジョンリードコマンド（タイムスロット８個）（図６（ｂ））を送信する。
【００８１】
ここで、通信可能エリアにあるタグ５が、４個存在し、夫々の固有ＩＤが［ＡＡＡＡ］、［ＢＢＢＢ］、［ＣＣＣＣ］、［ＤＤＤＤ］であったとする。
【００８２】
リーダライタ装置３は、タイムスロット毎にタグ５からのデータ（図６（ｃ））を受信し、この受信したデータはタグ５の固有ＩＤであり、この場合、データは４つであった。図９においては、タイムスロット０で固有ＩＤがＡＡＡＡのタグ５、タイムスロット１で固有ＩＤがＢＢＢＢのタグ５、タイムスロット７で固有ＩＤがＤＤＤＤのタグ５がこの順番で受信された。
【００８３】
リーダライタ装置３は、一番目に受信した固有ＩＤがＡＡＡＡのタグ５に簡易ＩＤ１を割り当て、２番目に受信した固有ＩＤがＢＢＢＢのタグ５に簡易ＩＤ２を割り当て、３番目に受信した固有ＩＤがＤＤＤＤのタグ５に簡易ＩＤ４を割り当て、これら読み取れたタグ５に割り当てた簡易ＩＤ１，２，４（図５（ｅ））をホスト装置１へ正常レスポンスとして送信する。ホスト装置１は、簡易ＩＤのみを取得する（状態Ｂ終了）。
【００８４】
続いて、ホスト装置１は、簡易ＩＤ１のメモリデータのリード（図５（ｈ））またはライトコマンド（図５（ｊ））をリーダライタ装置３へ送信する。
【００８５】
リーダライタ装置３は、簡易ＩＤ１のリードまたはライトコマンドを受信した際、簡易ＩＤから固有ＩＤを求める。この場合簡易ＩＤ１は固有ＩＤがＡＡＡＡであるから、起動コマンドと固有ＩＤ「ＡＡＡＡ」を送信し（図示しない）、固有ＩＤがＡＡＡＡのタグ５から正常レスポンスを受け取った後（図示しない）、リードまたはライトの無線通信処理を行い、固有ＩＤがＡＡＡＡのタグ５から受信したデータはホスト装置１に送信する。
【００８６】
固有ＩＤがＡＡＡＡのタグ５との無線通信処理が終了した際、リーダライタ装置３は、停止コマンドと固有ＩＤ「ＡＡＡＡ」を送信し（図示しない）、固有ＩＤ「ＡＡＡＡ」のタグ５から正常レスポンスを受信し（図示しない）、終了する（状態Ｃ終了）。
【００８７】
ここで、ホスト装置１は、タグ５の固有ＩＤ「ＡＡＡＡ」、固有ＩＤ「ＢＢＢＢ」、固有ＩＤ「ＤＤＤＤ」とのアクセスが必要なくなった場合、すなわち、１回のマルチリードを行い、次にマルチリードを行うまでに前回のマルチリードで得たタグ５，…とは全てアクセスを完了させてしまう場合、次のマルチリード要求コマンドＡ（図５（ｄ））をリーダライタ装置３に送信する。
【００８８】
リーダライタ装置３は、次のマルチリード要求コマンドＡを受信した際、現在使用している簡易ＩＤは必要ないものと判断して、全ての簡易ＩＤ１，２，４を解放する。そして、リーダライタ装置３は、アンチコリジョンリードコマンド（タイムスロット４個）（図６（ｂ））を送信する。
【００８９】
リーダライタ装置３は、タイムスロット毎にタグ５からのデータ（図６（ｃ））を受信し、この受信したデータはタグ５の固有ＩＤであり、図９においてタイムスロット１で固有ＩＤがＣＣＣＣのタグ５が受信された。
【００９０】
リーダライタ装置３は、タグ５の固有ＩＤがＣＣＣＣに先ほど解放した簡易ＩＤ１を割り当て、この割り当てた簡易ＩＤ１をホスト装置１へ正常レスポンス（図５（ｅ））として送信する。ホスト装置１は、簡易ＩＤ１のみを取得する（状態Ｂ終了）。
【００９１】
続いて、ホスト装置１は、簡易ＩＤ１のメモリデータのリードまたはライトコマンド（図５（ｈ）または（ｊ））をリーダライタ装置３へ送信する。
【００９２】
リーダライタ装置３は、簡易ＩＤ１のリードまたはライトコマンドを受信した際、簡易ＩＤ１から固有ＩＤ「ＣＣＣＣ」を求め、起動コマンドと固有ＩＤ「ＣＣＣＣ」（図６（ｈ））を送信し（図示しない）、固有ＩＤがＣＣＣＣのタグ５から正常レスポンス（図６（ｉ））を受け取った後（図示しない）、リードまたはライトの無線通信処理（図６（ｄ）〜（ｇ））を行い、固有ＩＤがＣＣＣＣのタグ５から受信したデータ（図５（ｉ）または（ｋ））はホスト装置１に送信する。
【００９３】
固有ＩＤがＡＡＡＡのタグ５との無線通信処理が終了した際、リーダライタ装置３は、停止コマンドと固有ＩＤ「ＣＣＣＣ」（図６（ｊ））を送信し（図示しない）、固有ＩＤ「ＣＣＣＣ」のタグ５から正常レスポンス（図６（ｋ））を受信し（図示しない）、終了する（状態Ｃ終了）。
【００９４】
全ての無線通信処理が終了した際、ホスト装置１は、タグ５との無線通信を停止させるために送信キャリア停止コマンド（図５（ｂ））をリーダライタ装置３に送信する。リーダライタ装置３は、送信キャリア停止コマンドを正常に受信した際、使用中の簡易ＩＤ（ここでは簡易ＩＤ１）全てを解放し、正常レスポンス（図５（ｃ））をホスト装置１へ返す（状態Ａ）。
【００９５】
上述したように、１回のマルチリードを行い、次にマルチリードを行うまでに前回のマルチリードで得たタグ５とは全てアクセスを完了させてしまう場合には、現在使用している簡易ＩＤは必要なくなるため、解放コマンドを受け取る代わりに、次にマルチリード要求コマンドをリーダライタ装置３が受信すると現在使用している簡易ＩＤを全て解放すれば、解放コマンドの通信時間を省略することができる。
【００９６】
また、さらに全てのタグ５との通信を完了させるコマンド（送信キャリア停止コマンド）を受信した場合にも、全ての簡易ＩＤの解放を行い、簡易ＩＤの解放コマンドを使用しないで動作させることができる。
【００９７】
次に、マルチリード無線タグシステムのマルチリード動作（簡易ＩＤと固有ＩＤと第１のアクセス鍵）を図１０のタイムチャートを参照して説明する。ここでのタグ５は、固有ＩＤと固有なアクセス鍵を持ち、この固有なアクセス鍵を使用しなければ当該タグに対してリードライトができないものとし、アクセス鍵は固有ＩＤから生成が可能であるとする。
【００９８】
ホスト装置（ＰＣ）１は、タグ（ＣＵ）５を動作させるために送信キャリア開始コマンド（図５（ｂ））をリーダライタ装置（ＲＷＵ）３に送信する。リーダライタ装置３は、送信キャリア開始コマンドを正常に受信した際に正常レスポンス（図５（ｃ））をホスト装置１へ返す（状態Ａ）。
【００９９】
続いてホスト装置１は、マルチリード要求コマンドＢ（図５（ｆ））をリーダライタ装置３に送信し、リーダライタ装置３はこれを受信してアンチコリジョンリードコマンド（タイムスロット８個）（図６（ｂ））を送信する。
【０１００】
ここで、通信可能エリアにあるタグ５が、４個存在し、夫々の固有ＩＤが［ＡＡＡＡ］、［ＢＢＢＢ］、［ＣＣＣＣ］、［ＤＤＤＤ］であったとする。
【０１０１】
リーダライタ装置３は、タイムスロット毎にタグ５からのデータ（図６（ｃ））を受信し、この受信したデータはタグ５の固有ＩＤであり、この場合、データは４つであった。図１０においては、タイムスロット０で固有ＩＤがＡＡＡＡのタグ５、タイムスロット１で固有ＩＤがＢＢＢＢのタグ５、タイムスロット２で固有ＩＤがＣＣＣＣのタグ５、タイムスロット７で固有ＩＤがＤＤＤＤのタグ５がこの順番で受信された。
【０１０２】
リーダライタ装置３は、受信した順に簡易ＩＤを割り当てていき、タグ５の固有ＩＤがＡＡＡＡに簡易ＩＤ１を割り当て、タグ５の固有ＩＤがＢＢＢＢに簡易ＩＤ２を割り当て、タグ５の固有ＩＤがＣＣＣＣに簡易ＩＤ３を割り当て、タグ５の固有ＩＤがＤＤＤＤに簡易ＩＤ４を割り当てる。そして、これらの簡易ＩＤ１と固有ＩＤ「ＡＡＡＡ」、簡易ＩＤ２と固有ＩＤ「ＢＢＢＢ」、簡易ＩＤ３と固有ＩＤ「ＣＣＣＣ」、簡易ＩＤ４と固有ＩＤ「ＤＤＤＤ」をホスト装置１へ正常レスポンス（図５（ｇ））として送信する。ホスト装置１は、これらの簡易ＩＤと固有ＩＤを取得する（状態Ｂ終了）。
【０１０３】
ホスト装置１は、まず簡易ＩＤ１のデータをリードしたい場合、簡易ＩＤ１に対応する固有ＩＤ「ＡＡＡＡ」からアクセス鍵を生成し、この生成した簡易ＩＤ１に対応するアクセス鍵（図５（ｎ））をリーダライタ装置３に送信する。リーダライタ装置３は、受信した簡易ＩＤ１のアクセス鍵をメモリ３２に記憶（セット）した後、ホスト装置１に正常レスポンス（図５（ｏ））を返す（状態Ｄ）。
【０１０４】
続いて、ホスト装置１は、簡易ＩＤ１のメモリデータのリードコマンド（図５（ｈ））をリーダライタ装置３へ送信する。
【０１０５】
リーダライタ装置３は、簡易ＩＤ１の固有ＩＤが「ＡＡＡＡ」であるから、起動コマンドと固有ＩＤ「ＡＡＡＡ」（図６（ｈ））を送信し、固有ＩＤがＡＡＡＡのタグ５から正常レスポンス（図６（ｉ））を受け取った後、簡易ＩＤ１からアクセス鍵を求め、タグ（ＣＵ）送信コマンドを生成してタグ５へ送信する。このようにセットしたアクセス鍵を使用してタグ５と無線通信を行うことによりホスト装置１との通信データ量を減らすことができる。
【０１０６】
必要に応じて複数回繰り返し、固有ＩＤ「ＡＡＡＡ」のタグ５との無線通信処理（図６（ｄ）〜（ｇ））が終了した際、リーダライタ装置３は、停止コマンドと固有ＩＤ「ＡＡＡＡ」（図６（ｊ））を送信し、固有ＩＤ「ＡＡＡＡ」のタグ５からの正常レスポンス（図６（ｋ））を受信して終了する（状態Ｃ）。
【０１０７】
続いてホスト装置装置１は、簡易ＩＤ２のデータをリードしたい場合、簡易ＩＤ２に対応する固有ＩＤ「ＢＢＢＢ」からアクセス鍵を生成し、この生成した簡易ＩＤ２に対応するアクセス鍵（図５（ｎ））をリーダライタ装置３に送信する。リーダライタ装置３は、受信した簡易ＩＤ２のアクセス鍵をメモリ３２に記憶（セット）した後、正常レスポンス（図５（ｏ））をホスト装置１に返す（状態Ｄ）。
【０１０８】
続いてホスト装置１は、データリードする簡易ＩＤ２のメモリデータのリードコマンド（図５（ｈ））をリーダライタ装置３へ送信する。
【０１０９】
リーダライタ装置３は、簡易ＩＤ２の固有ＩＤが「ＢＢＢＢ」であるから、起動コマンドと固有ＩＤ「ＢＢＢＢ」（図６（ｈ））を送信し、固有ＩＤがＢＢＢＢのタグ５から正常レスポンス（図６（ｉ））を受け取った後、簡易ＩＤ２からアクセス鍵を求め、タグ（ＣＵ）送信コマンドを生成してタグ５へ送信する。
【０１１０】
固有ＩＤ「ＢＢＢＢ」のタグ５との無線通信処理（図６（ｄ）〜（ｇ））が終了した際、リーダライタ装置３は、停止コマンドと固有ＩＤ「ＢＢＢＢ」（図６（ｊ））を送信し、固有ＩＤ「ＢＢＢＢ」のタグ５からの正常レスポンスを受信して終了する（状態Ｃ終了）。
【０１１１】
全ての無線通信処理が終了した際、ホスト装置１は、タグ５との無線通信を停止させるために送信キャリア停止コマンド（図５（ｂ））をリーダライタ装置３に送信する。リーダライタ装置３は、送信キャリア停止コマンドを正常に受信した際、メモリ３２に記憶された全てのアクセス鍵を削除して正常レスポンス（図５（ｃ））をホスト装置１に返す（状態Ａ）。
【０１１２】
なお、上記実施例では、ホスト装置１で固有ＩＤからアクセス鍵を生成したが、固有ＩＤからアクセス鍵を生成するのをリーダライタ装置３で行うようにしても良い。これにより、ホスト装置１とリーダライタ装置３との間の通信の簡略化、通信量の減少化を図ることができる。
【０１１３】
次に、マルチリード無線タグシステムのマルチリード動作（簡易ＩＤと固有ＩＤと第２のアクセス鍵）を図１１のタイムチャートを参照して説明する。
【０１１４】
ホスト装置（ＰＣ）１は、タグ（ＣＵ）５を動作させるために送信キャリア開始コマンド（図５（ｂ））をリーダライタ装置（ＲＷＵ）３に送信する。リーダライタ装置３は、送信キャリア開始コマンドを正常に受信した際に正常レスポンス（図５（ｃ））をホスト装置１へ返す（状態Ａ）。
【０１１５】
続いてホスト装置１は、マルチリード要求コマンドＡ（図５（ｄ））をリーダライタ装置３に送信し、リーダライタ装置３はこれを受信してアンチコリジョンリードコマンド（タイムスロット８個）（図６（ｂ））を送信する。
【０１１６】
ここで、通信可能エリアにあるタグ５が、４個存在し、夫々の固有ＩＤが［ＡＡＡＡ］、［ＢＢＢＢ］、［ＣＣＣＣ］、［ＤＤＤＤ］であったとする。
【０１１７】
リーダライタ装置３は、タイムスロット毎にタグ５からのデータ（図６（ｃ））を受信し、この受信したデータはタグ５の固有ＩＤであり、この場合、データは４つであった。図１１においては、タイムスロット０で固有ＩＤがＡＡＡＡのタグ５、タイムスロット１で固有ＩＤがＢＢＢＢのタグ５、タイムスロット２で固有ＩＤがＣＣＣＣのタグ５、タイムスロット７で固有ＩＤがＤＤＤＤのタグ５がこの順番で受信された。
【０１１８】
リーダライタ装置３は、受信した順に簡易ＩＤを割り当てていき、タグ５の固有ＩＤがＡＡＡＡに簡易ＩＤ１を割り当て、タグ５の固有ＩＤがＢＢＢＢに簡易ＩＤ２を割り当て、タグ５の固有ＩＤがＣＣＣＣに簡易ＩＤ３を割り当て、タグ５の固有ＩＤがＤＤＤＤに簡易ＩＤ４を割り当てる。そして、これらの簡易ＩＤ１と固有ＩＤ「ＡＡＡＡ」、簡易ＩＤ２と固有ＩＤ「ＢＢＢＢ」、簡易ＩＤ３と固有ＩＤ「ＣＣＣＣ」、簡易ＩＤ４と固有ＩＤ「ＤＤＤＤ」をホスト装置１へ正常レスポンス（図５（ｇ））として送信する。ホスト装置１は、これらの簡易ＩＤと固有ＩＤを取得する（状態Ｂ終了）。
【０１１９】
ホスト装置１は、簡易ＩＤ１〜４の固有ＩＤからそれぞれのアクセス鍵を生成し、この生成した簡易ＩＤ１〜４に対応するアクセス鍵（図５（ｎ））をリーダライタ装置３に送信する。リーダライタ装置３は、受信した簡易ＩＤ１〜４のアクセス鍵をメモリ３２に記憶（セット）した後、正常レスポンス（図５（ｏ））をホスト装置１に返す（状態Ｄ）。
【０１２０】
続いてホスト装置１は、まず簡易ＩＤ１のデータをリードしたい場合、簡易ＩＤ１のメモリデータのリードコマンド（図５（ｈ））をリーダライタ装置３へ送信する。
【０１２１】
リーダライタ装置３は、簡易ＩＤ１の固有ＩＤが「ＡＡＡＡ」であるから、起動コマンドと固有ＩＤ「ＡＡＡＡ」（図６（ｈ））を送信し、固有ＩＤがＡＡＡＡのタグ５から正常レスポンス（図６（ｉ））を受け取った後、簡易ＩＤ１からアクセス鍵を求め、タグ（ＣＵ）送信コマンドを生成してタグ５へ送信する。必要に応じて複数回繰り返し、固有ＩＤ「ＡＡＡＡ」のタグ５との無線通信処理（図６（ｄ）〜（ｇ））が終了した際、リーダライタ装置３は、停止コマンドと固有ＩＤ「ＡＡＡＡ」（図６（ｊ））を送信し、固有ＩＤ「ＡＡＡＡ」のタグ５からの正常レスポンス（図６（ｋ））を受信して終了する（状態Ｃ）。
【０１２２】
続いてホスト装置装置１は、簡易ＩＤ２のデータをリードしたい場合、データリードする簡易ＩＤ２のメモリデータのリードコマンド（図５（ｈ））をリーダライタ装置３へ送信する。
【０１２３】
リーダライタ装置３は、簡易ＩＤ２の固有ＩＤが「ＢＢＢＢ」であるから、起動コマンドと固有ＩＤ「ＢＢＢＢ」（図６（ｈ））を送信し、固有ＩＤがＢＢＢＢのタグ５から正常レスポンス（図６（ｉ））を受け取った後、簡易ＩＤ２からアクセス鍵を求め、タグ（ＣＵ）送信コマンドを生成してタグ５へ送信する。
【０１２４】
固有ＩＤ「ＢＢＢＢ」のタグ５との無線通信処理（図６（ｄ）〜（ｇ））が終了した際、リーダライタ装置３は、停止コマンドと固有ＩＤ「ＢＢＢＢ」（図６（ｊ））を送信し、固有ＩＤ「ＢＢＢＢ」のタグ５からの正常レスポンス（図６（ｋ））を受信して終了する（状態Ｃ）。
【０１２５】
全ての無線通信処理が終了した際、ホスト装置１は、タグ５との無線通信を停止させるために送信キャリア停止コマンド（図６（ｋ））をリーダライタ装置３に送信する。リーダライタ装置３は、送信キャリア停止コマンドを正常に受信した際、メモリ３２に記憶されたアクセス鍵全てを削除して正常レスポンス（図５（ｃ））をホスト装置１へ返す（状態Ａ）。
【０１２６】
上述したようにアクセス鍵をセットするようにしたことで、１回の通信でリーダライタ装置３にアクセス鍵をセットすることができ、リーダライタ装置３はタグ５との通信が可能となり、ホスト装置１からは簡易ＩＤのみを使用してリードライトができる。
【０１２７】
次に、このマルチリード動作後、もう一度マルチリードを行うか、全ての無線通信を終了させる場合にアクセス鍵データを全て削除し、さらに簡易ＩＤも全て削除することにより、ホスト装置１とリーダライタ装置３との間の通信量をさらに減少させることができる。
【０１２８】
図１２は、タグ５が有するメモリ５２の構成例を示すものである。メモリ５２に記憶されているデータは、固有ＩＤ、キー１、キー２、アドレス３，４，５，６である。この場合、アクセスキー（鍵）１では、アドレス３，４のエリアのみアクセスが可能となり、アクセスキー（鍵）２では、アドレス５，６のエリアのみアクセスが可能となるように構成されている。
【０１２９】
この場合、リーダライタ装置３は、タグ５の簡易ＩＤと固有ＩＤのデータベースと、それと独立したアクセスキー（鍵）番号とアクセスキーデータのデータベースを持ち、ホスト装置１は、リーダライタ装置３に各々の命令に応じてタグ５の簡易ＩＤ、あるいは、キー番号を指定して行うことによって、リーダライタ装置３は、タグに向けて固有ＩＤ、もしくはキーデータを付加してアクセスを行うことができる。これにより、ホスト装置１が各々タグの固有ＩＤからアクセスキーを生成する方法を公開せずに済み、セキュリティのより高度化を図ることができる。
【０１３０】
以上説明したように上記発明の実施の形態によれば、簡易ＩＤを使用することにより、繰り返すデータのトラフィック量を減少させ、リーダライタ装置のホスト装置に対するレスポンスをより良くすることができる。
【０１３１】
また、リーダライタ装置が、タグに固有のアクセス鍵を使用してタグとアクセスを行わなければならない場合、ホスト装置とリーダライタ装置との間のアクセス鍵データの送受信を極力減少させるため、このアクセス鍵をリーダライタ装置で保持し、タグとアクセスする際にこの保持しているアクセス鍵、すなわち保持鍵を使用してアクセスし、ホスト装置とリーダライタ装置との間の通信量を減少させ、レスポンスをより良くすることができる。
【０１３２】
さらに、簡易ＩＤとアクセス鍵とを両方使用し、通信の簡略化と共にレスポンスをさらに良くすることができる。
【０１３３】
【発明の効果】
以上詳述したようにこの発明によれば、上位装置との通信量を減少させ、通信時間の短縮化を図ることのできる制御装置と制御装置の通信制御方法を提供することができる。
【図面の簡単な説明】
【図１】この発明に係るマルチリード無線タグシステムの概略構成を示す図。
【図２】タグ（ＣＵ）の概略構成を示す図。
【図３】リーダライタ装置の概略構成を示す図。
【図４】リーダライタ装置とタグとの間のタイムスロットのタイミングを説明するための図。
【図５】ホスト装置（ＰＣ）とリーダライタ装置（ＲＷＵ）とのコマンドレスポンス仕様を示す図。
【図６】リーダライタ装置（ＲＷＵ）とタグ（ＣＵ）とのコマンドレスポンス仕様を示す図。
【図７】マルチリード無線タグシステムのマルチリード動作を説明するためのタイムチャート。
【図８】マルチリード無線タグシステムのマルチリード動作を説明するためのタイムチャート。
【図９】マルチリード無線タグシステムのマルチリード動作を説明するためのタイムチャート。
【図１０】マルチリード無線タグシステムのマルチリード動作を説明するためのタイムチャート。
【図１１】マルチリード無線タグシステムのマルチリード動作を説明するためのタイムチャート。
【図１２】タグが有するメモリの構成例を示す図。
【符号の説明】
１…ホスト装置（上位装置）
３…リーダライタ装置（制御装置）
５…タグ（情報記憶媒体）
３１，５１…ＣＰＵ（制御手段）
３２，５２…メモリ（記憶手段）
３４…ディジタル部
３５…アナログ部
５３…送受信切換部
５４…受信部
５７…送信部
【図１】
0004157208.tif 000002
【図２】
0004157208.tif 000003
【図３】
0004157208.tif 000004
【図４】
0004157208.tif 000005
【図５】
0004157208.tif 000006
【図６】
0004157208.tif 000007
【図７】
0004157208.tif 000008
【図８】
0004157208.tif 000009
【図９】
0004157208.tif 000010
【図１０】
0004157208.tif 000011
【図１１】
0004157208.tif 000012
【図１２】
0004157208.tif 000013